(57)【特許請求の範囲】
【請求項１】
前胴周り域と、後胴周り域と、これら両域間に形成された股下域とを有する着用物品の前記各域が前記物品着用者の肌と向かい合う内面と、前記内面の反対側である外面とを有し、前記股下域における幅方向中央部の前記内面に前記着用者の肛門および尿道口の少なくとも一方を少なくとも部分的に囲むことが可能な隆起部が形成されている使い捨ての着用物品において、
前記隆起部は、該隆起部の外表面を形成する被覆シートと、前記被覆シートの内側を充たす充填材とを含み、前記着用者の肌と向かい合う側の頂部と前記頂部の反対側である底部とを有し、前記充填材が柔軟にして弾性を有する発泡プラスチックのチップを多数含むことを特徴とする前記着用物品。
【請求項２】
前記発泡プラスチックがセル数３０〜１５０個／２５ｍｍ、密度２０〜１２０ｋｇ／ｍ３、反発弾性率５〜３０％を有するポリウレタンフォームによって形成されている請求項１に記載の着用物品。
【請求項３】
前記隆起部は、前記股下域に形成されていて前記前胴周り域寄りに前端部、前記後胴周り域寄りに後端部、前記前端部と後端部との間に両側部を有する平面形状が環状のものであり、前記両側部から前記前端部と後端部とのうちの少なくとも一方の端部へ向かって次第に高くなり、前記中心線上において最も高くなる請求項１または２に記載の着用物品。
【請求項４】
前記隆起部は、前記股下域に形成されていて、前記隆起部の平面形状が前記中心線に沿ってほぼ平行に延びる部分と、前記前胴周り域寄りおよび前記後胴周り域寄りのいずれかで湾曲する部分とからなるＵ字形を画いている請求項１〜３のいずれかに記載の着用物品。
【請求項５】
前記隆起部が前記股下域において前記後胴周り域寄りに形成されている請求項１〜４のいずれかに記載の着用物品。
【請求項６】
前記隆起部が前記股下域において前記前胴周り域寄りと後胴周り域寄りとに縦列状態で２つ形成されている請求項１〜５のいずれかに記載の着用物品。
【請求項７】
前記隆起部が前記股下域において前記前胴周り域と前記後胴周り域とに届くように長く形成されている請求項１〜６のいずれかに記載の着用物品。
【請求項８】
前記股下域において前記隆起部により囲まれている部分には、前記おむつの内側から外側へ向かってふくらむポケットが形成されている請求項１〜７のいずれかに記載の着用物品。
【請求項９】
前記隆起部の幅方向断面形状において、前記隆起部の頂部が上方へ向かって凸となるような弧を画いている請求項１〜８のいずれかに記載の着用物品。
【請求項１０】
前記充填材の１００〜６０重量％が前記チップによって占められている請求項１〜９に記載の着用物品。
【請求項１１】
前記チップは、その最大径が１〜２０ｍｍの範囲にある請求項１〜１０記載の着用物品。
【請求項１２】
前記充填材が０〜４０重量％の熱可塑性合成繊維を含む請求項１〜１１のいずれかに記載の着用物品。
【請求項１３】
前記隆起部において、前記チップが前記頂部から前記底部へ向かうにしたがい、前記最大径が次第に大きくなる態様で充填されている請求項１〜１２のいずれかに記載の着用物品。
【請求項１４】
前記隆起部において、前記チップは、前記頂部から前記底部へ向かうにしたがい、密度が次第に高くなる態様で充填されている請求項１〜１３のいずれかに記載の着用物品。
【請求項１５】
前記底部では、前記チップの下に前記熱可塑性合成繊維からなる層が形成され、前記熱可塑性合成繊維層の曲げ剛性が０．９８〜５．０Ｎ／２５．４ｍｍである請求項１〜１４のいずれかに記載の着用物品。
【発明の詳細な説明】
【０００１】
【発明の属する技術分野】
この発明は、使い捨てのおむつを一例とする使い捨ての着用物品に関する。
【０００２】
【従来の技術】
特許文献１に開示の使い捨ておむつは、吸液性コアの股下域にコアの上面からくぼむ便溜め凹部を有する。この凹部の周縁には隆起部が形成され、隆起部はコアの他の部分よりも柔軟性を有している。
【０００３】
【特許文献１】
実用新案登録公報第２５２３７１１号公報
【０００４】
【発明が解決しようとする課題】
前記公知の使い捨ておむつでは、これを着用すると、隆起部が隆起部以外の部位に比べて着用者の肛門周囲の肌に強く密着し、便を漏らすことなく凹部へ収容することができる。また、隆起部は柔軟性を有するから、肌に密着したときに隆起部だけが肌に強く当たっているというような不快感を与えることがない。しかし、コアは、一般に粉砕パルプまたは粉砕パルプと高吸収性ポリマー粒子との混合物によって形成されるもので、体圧の作用によって一度変形すると元の形状に戻ることが難しい。コアが湿潤状態になると、元の形状に戻ることが一層難しくなる。コアがそのような性状を有する前記公知のおむつでは、隆起部を長時間にわたって肌に密着させておくことが難しい。また、着用させたおむつを一度脱がせてから再度着用させようとすると、隆起部が高さの低いものになっていて、最初に着用させたときほどには肌に密着しないことがある。
【０００５】
この発明では、隆起部で囲まれた内側に排泄物を収容することができる前記公知の如き使い捨てのおむつ等の着用物品において、その隆起部の肌に対する密着性を改良することが課題である。
【０００６】
【課題を解決するための手段】
前記課題を解決するために、この発明が対象とするのは、前胴周り域と、後胴周り域と、これら両域間に形成された股下域とを有する着用物品の前記各域が前記物品着用者の肌と向かい合う内面と、前記内面の反対側である外面とを有し、前記股下域における幅方向中央部の前記内面に前記着用者の肛門及び尿道口の少なくとも一方を囲むことが可能な環状隆起部が形成されている使い捨ての着用物品である。
【０００７】
かかる着用物品において、この発明が特徴とするところは、前記隆起部は、該隆起部の外表面を形成する被覆シートと、前記被覆シートの内側を充たす充填材とを含み、前記着用者の肌と向かい合う側の頂部と前記頂部の反対側である底部とを有し、前記充填材が柔軟にして弾性を有する発泡プラスチックのチップを多数含むことにある。
【０００８】
この発明には、次のような好ましい実施態様がある。
（１）前記発泡プラスチックがセル数３０〜１５０個／２５．４ｍｍ、密度２０〜１２０ｋｇ／ｍ３、反発弾性率５〜３０％を有するポリウレタンフォームによって形成されている。
（２）前記隆起部は、前記股下域に形成されていて前記前胴周り域寄りに前端部、前記後胴周り域寄りに後端部、前記前端部と後端部との間に両側部を有する平面形状が環状のものであり、前記両側部から前記前端部と後端部とのうちの少なくとも一方の端部へ向かって次第に高くなり、前記中心線上において最も高くなる。
（３）前記隆起部は、前記股下域に形成されていて、前記隆起部の平面形状が前記中心線に沿ってほぼ平行に延びる部分と、前記前胴周り域寄りおよび前記後胴周り域寄りのいずれかで湾曲する部分とからなるＵ字形を画いている。
（４）前記隆起部が前記股下域において前記後胴周り域寄りに形成されている。
（５）前記隆起部が前記股下域において前記前胴周り域寄りと後胴周り域寄りとに縦列状態で２つ形成されている。
（６）前記隆起部が前記股下域において前記前胴周り域と前記後胴周り域とに届くように長く形成されている。
（７）前記股下域において前記隆起部により囲まれている部分には、前記おむつの内側から外側へ向かってふくらむポケットが形成されている。
（８）前記隆起部の幅方向断面形状において、前記隆起部の頂部が上方へ向かって凸となるような弧を画いている。
（９）前記充填材の１００〜６０重量％が前記チップで占められている
（１０）前記チップは、その最大径が１〜２０ｍｍの範囲にある。
（１１）前記充填材が０〜４０重量％の熱可塑性合成繊維を含む。
（１２）前記隆起部において、前記チップが前記頂部から前記底部へ向かうにしたがい、前記最大径が次第に大きくなる態様で充填されている。
（１３）前記隆起部において、前記チップは、前記頂部から前記底部に向かうにしたがい、密度が次第に高くなる態様で充填されている。
（１４）前記底部では、前記チップの下に前記熱可塑性合成繊維からなる層が形成され、前記熱可塑性合成繊維層の曲げ剛性が０．９８〜５．０Ｎ／２５．４ｍｍである。
【０００９】
【発明の実施の形態】
使い捨ておむつを例にとり、添付の図面を参照してこの発明に係る使い捨ての着用物品の詳細を説明すると、以下のとおりである。
【００１０】
図１に部分破断図で示された使い捨ておむつ１は、おむつ着用者の肌と向かい合う内面を形成している透液性の表面シート２と、着衣と向かい合う外面を形成している不透液性の裏面シート３と、表面シート２の下面と裏面シート３の上面との間に位置する体液吸収体４とを有する。表裏面シート２，３は、吸収体４の周縁から延出して重なり合い、互いに接合して前部フラップ１１と、後部フラップ１２と、側部フラップ１３とを形成している。後部フラップ１２と側部フラップ１３とでは、胴周り弾性部材１６と脚周り弾性部材１７とが胴周り方向と脚周り方向とに延びている。これら弾性部材１６，１７は、表面シート２の下面および裏面シート３の上面の少なくとも一方に伸長状態で接合している。図の上下方向において、おむつ１は前胴周り域６と、後胴周り域７と、これら両域６，７間に位置する股下域８とを有し、後胴周り域７の側部フラップ１３にはテープファスナ１４が取り付けられている。おむつ１は、股下域８に平面形状が環状を呈する隆起部２１によって囲まれた便収容部２２を有する。隆起部２１は、おむつ着用者の肛門を囲むことができるように、股下域８における後胴周り域７寄りの部位または股下域８と後胴周り域７とにまたがる部位に形成されている。
【００１１】
図２，３は、図１のＩＩ−ＩＩ線、ＩＩＩ−ＩＩＩ線断面図であり、ＩＩＩ−ＩＩＩ線はおむつ１の幅を二等分する中心線Ｃ−Ｃに一致している。隆起部２１は、その平面形状が中心線Ｃ−Ｃに関して対称となるように作られていて、前胴周り域６寄りの前端部２３と、後胴周り域７寄りの後端部２４と、これら両端部２３，２４の間に延びる両側部２６とを有する。かかる隆起部２１は、高さ方向の断面形状において、おむつ着用者の肌と向かい合う頂部２５と、頂部２５の反対側である底部２７とを有し、底部２７は接着剤２７ａによって表面シート２に固定されている。隆起部２１の前端部２３、後端部２４、両側部２６は底部２７から頂部２５までの高さがａ，ｂ，ｃであり、好ましいおむつ１では高さａ，ｂが図示されたように中心線Ｃ−Ｃ上で最大となり、より好ましくは中心線Ｃ−Ｃ上で僅かにとがっている。高さａの最大値は高さｂの最大値と同じであるか、またはそれよりも小さく設定されることが好ましいが、高さｂの最大値よりも大きくしてこの発明を実施することも可能である。両側部２６の高さｃの値は高さａまたはｂに等しいか、ａとｂとの中間にある。好ましい両側部２６の頂部２５は、前端部２３と後端部２４との間で両側部２６間の幅が広がるようにおむつ１の幅方向外側に向かって傾いている（図２参照）。また、隆起部２１の高さ方向断面形状に現われるこれら各部２３，２４，２６の頂部２５は、上方に向かって凸となるような弧を画いている。便収容部２２は、隆起部２１と隆起部２１によって囲まれている部分における表面シート２とによって画成されている。
【００１２】
かように形成されたおむつ１は、便収容部２２が肛門の直下に位置するように隆起部２１を肌に当てて着用する。隆起部２１は、柔軟にして弾性を有する発泡プラスチックをその隆起部２１の形状に成形したブロックで５０からなり、肌によく密着する。好ましい隆起部２１では前端部２３と後端部２４とにおいて、上方へ向かってとがっている中央部分２３ａ，２４ａ（図１参照）が尻のわれ目に納まり、そのわれ目を伝って体液が漏れやすいという従来のおむつの問題を解消することができる。かような隆起部２１は、それが柔軟であることによって、肌に強く密着しても肌を徒に刺激することがない部位で、この隆起部２１を形成する発泡プラスチックのブロック５０は、ＪＩＳ  Ｋ  ６４００の５．２に規定のセル数の値が３０〜１５０個／２５ｍｍであり、ＪＩＳ  Ｋ  ６４００の９．２に規定のＢ法による反発弾性率が５〜３０％であり、密度が２０〜１２０ｋｇ／ｍ３であるものが好ましい。また、隆起部２１の高さａ，ｂ，ｃの値は、５〜５０ｍｍの範囲にあることが好ましい。隆起部２１の平面形状は、図示例の如き楕円形の他に、円形や長円形、多角形等にすることができる。隆起部２１は、例えば両側部２６を外側へ傾けることによって、便収容部２２の内径と外径とが表面シート２の上方へ向かって次第に大きくなるようならっぱ形に作ることができる。このように作られている隆起部２１は、それに上方から体圧が作用すると矢印ｐ方向へ、つまり便収容部２２の内径が大きくなるように変形して、便が収容部２２に入り易くなる。
【００１３】
図４は、実施態様の一例を示す図３と同様な図面である。このおむつ１では、便収容部２２の底部分３０が吸収体４を含まず、表面シート２と裏面シート３とによって形成されている。かかる便収容部２２は、図３のそれよりも深くなって多くの便を収容することが可能である。便に含まれる水分は、便収容部２２の内側の一部分を形成している吸収体４に吸収される。図４の仮想線２８は、底部分３０の一態様を示すもので、底部分３０が図示の如くおむつ１の内側から外側へ向かってふくらむポケット２９を形成していると、便収容部２２の内容積が大きくなる。このおむつ１では、隆起部２１の前端部２３の高さａが側部２６の前方寄りの部分の高さｃとほぼ同じであって、前端部２３は頂部が弧を画くことなく平坦に作られ、中央部分２３ａはとがることがない。ただし、後端部２４は、前端部２３と異なり中央部分２４ａがとがっている。底部分３０は、表面シート２を不可欠の構成要素とするものではなく、裏面シート３だけで形成されていてもよいし、裏面シート３とは別の不透液性シートで形成されていてもよい。
【００１４】
図５は、発明の実施態様の一例を示す図１と同様な図面である。このおむつ１では、環状を呈する隆起部２１が股下域において前胴周り域６寄りと後胴周り域７寄りとに縦列状態で２つ作られている。前胴周り域６寄りに形成される凹部２２は、尿を収容するためのものである。
【００１５】
図６は、発明の実施態様の一例を示す図１と同様の図面である。このおむつ１における隆起部２１の平面形状は、股下域８において前後へ長く延びて、前胴周り域６と後胴周り域７とに届くような長円形を呈している。このようなおむつ１では、隆起部２１の内側に便のみならず尿をも収容することができる。
【００１６】
図７，８は、発明の実施態様の一例を示す図１と同様な図面と、図７のＶＩＩＩ−ＶＩＩＩ線断面図である。このおむつ１の隆起部２１は、股下域８の後胴周り域７寄りにおいて中心線Ｃ−Ｃから中心線Ｃ−Ｃの両側へ湾曲しながら延びる部分４１と、中心線Ｃ−Ｃに沿って互いに平行して延びる部分４２とを有し、平面形状がＵ字形を呈している。かような隆起部２１では、後端部２４の中央部分２４ａが僅かにとがっている。かかる隆起部２１もまた、その内側に便収容部２２を形成している。
【００１７】
図９もまた、発明の実施態様の一例を示す図７と同様な図面である。このおむつ１の隆起部２１は、図７のそれと異なり、股下域８における前胴周り域６寄りに湾曲しながら延びる部分４１を有する。部分４１には、互いに平行して延びる部分４２がつながっている。
【００１８】
図１〜９の隆起部２１は、図示例のように発泡プラスチックからなるブロックを直接肌に当てることができるが、このブロックを表面シート２やその他のシート材料で被覆して間接的に肌に当てることもできる。おむつ１において、表面シート２には、不織布や開孔プラスチックフィルムを使用することができる。また、裏面シート３にはプラスチックフィルムを使用することができる。そのプラスチックフィルムの下面には不織布を接合してフィルムの肌触りを布様のものに変えることができる。
【００１９】
図１０は、この発明の実施態様の一例を示す図４と同様な図面である。このおむつ１の隆起部２１は、隆起部２１の外表面を形成する被覆シート５２と、被覆シート５２の内側を充たす充填材５１とを有し、隆起部２１の底部５４を形成している被覆シート５２が接着剤または粘着剤からなる接合剤５３を介して表面シート２に取り付けられている。充填材５１は、図４において隆起部２１のブロック５０を形成している発泡プラスチックと同じ発泡プラスチックからなる小さな弾性チップ５６を６０〜１００重量％含み、その他に熱可塑性合成繊維からなる変形容易な繊維材料５７等を０〜４０重量％含むことができる。チップ５６は、その径の最大値が１〜２０ｍｍの範囲にあることが好ましい。また、繊維材料５７は、繊度が０．１〜１０ｄｔｘの範囲にあり、繊維長が３〜７５ｍｍの範囲にあることが好ましい。繊維材料５７としては、ナイロンやポリエステル、これらのいずれかとポリエチレンとの複合繊維、その複合繊維の捲縮したもの等を使用することができる。被覆シート５２は、好ましくは不透液性のもの、さらに好ましくは通気不透液性のもので、熱可塑性合成繊維からなる不織布、その不織布の内側にプラスチックフィルムをラミネートした複合シート等から作ることができる。
【００２０】
隆起部２１がかように形成されているおむつ１では、充填材５１が小さな弾性チップ５６を多数含み、チップ５６の一つずつが弾性変形することによって、隆起部２１はそれが当接する着用者の肌の起伏にフィットし易くなる。また、被覆シート５２を予め隆起部２１の形状に成形しておいて、その隆起部２１の内側にチップ５６を充填すれば、図２の如く隆起部２１を発泡プラスチックのブロックとして作る場合よりも隆起部２１の生産が容易になって隆起部２１の製造コストを下げられる場合がある。チップ５６と混合される繊維材料５７は、チップ５６どうしの間隙に進入して隆起部２１が圧縮されて変形するときの変形のし易さの程度、つまり隆起部２１の圧縮特性を調整することに役立つ。接合剤５３に粘着剤を使用することによって、隆起部２１を表面シート２から剥離可能にしておき、おむつ１を廃棄するときにはその隆起部２１を剥離して、いわゆる燃えないごみとして処分することもできる。
【００２１】
図１１は、図１０のおむつと同じような形状を有するおむつ１の要部を示す図面である。このおむつ１における隆起部２１では、チップ５６の大きさが隆起部２１の頂部５８から底部５４へ向かうにしたがって次第に大きくなるように変化している。例えば、隆起部２１の高さのうちで頂部５８寄り３０％の範囲には径が１〜８ｍｍ程度のチップ５６が集まり、底部５４寄り４０％の範囲には径が１４〜２０ｍｍのチップ５６が集まり、これら両範囲の中間３０％の範囲には径が８〜１４ｍｍのチップ５６が集まっている。チップ５６はまた、頂部５８から底部５４へ向かうにしたがい、密度が高いものになるように充填することもできる。被覆シート５２の内側には、繊維材料５７が密集して層を形成している。かような構造の隆起部２１は、特に頂部５８近傍が肌に柔らかく接触する。また、被覆シート５２では、その内面側のチップ５６によるでこぼこした感じが繊維材料５７によって消されて肌触りが滑らかになる。ただし、底部５４の内面側に形成される繊維材料５７の層は、曲げ剛性の値を０．９８〜５．０Ｎ／２５．４ｍｍの範囲にしておくと、底部５４の剛性が適当に高くなって表面シート２に対する接合が容易になる。
【００２２】
【発明の効果】
この発明に係る使い捨てのおむつは、柔軟にして弾性を有する発泡プラスチックを使用して肌当接面に隆起部を形成したから、隆起部が肌によく密着して隆起部の内側に収容した便を外へ漏らすことがない。この柔軟な隆起部は、おむつ着用者の肌を徒に刺激することがないばかりでなく、体圧の作用で変形しても元の形状に容易に復元するから、おむつを一度脱がせたり、おむつが湿潤状態になったりしても肌によく密着する。
【図面の簡単な説明】
【図１】使い捨てのおむつの部分破断平面図。
【図２】図１のＩＩ−ＩＩ線断面図。
【図３】図１のＩＩＩ−ＩＩＩ線断面図。
【図４】実施態様の一例を示す図３と同様な図面。
【図５】実施態様の他の一例を示す図１と同様な図面。
【図６】実施態様のさらに他の一例を示す図１と同様な図面。
【図７】実施態様のさらに他の一例を示す図１と同様な図面。
【図８】図７のＶＩＩＩ−ＶＩＩＩ線断面図。
【図９】実施態様のさらに他の一例を示す図７と同様な図面。
【図１０】実施態様のさらに他の一例を示す図４と同様な図面。
【図１１】実施態様のさらに他の一例を示すためのおむつの要部を示す図面。
【符号の説明】
１      使い捨てのおむつ
２      第１シート（表面シート）
３      第２シート（裏面シート）
４      体液吸収体
６      前胴周り域
７      後胴周り域
８      股下域
２１      隆起部
２２      便収容部
２３      前端部
２４      後端部
２６      側部
２９      ポケット
４１      湾曲する部分
４２      平行に延びる部分
【図１】
0003851254.tif 000002
【図２】
0003851254.tif 000003
【図３】
0003851254.tif 000004
【図４】
0003851254.tif 000005
【図５】
0003851254.tif 000006
【図６】
0003851254.tif 000007
【図７】
0003851254.tif 000008
【図８】
0003851254.tif 000009
【図９】
0003851254.tif 000010
【図１０】
0003851254.tif 000011
【図１１】
0003851254.tif 000012